(57)【要約】【課題】  フレーム型キッチンキャビネットの剛性を高めつつ、ユニットとして独立した特徴ある機能を有し、付加価値が高められたフレーム型キッチンキャビネットの腰壁ユニットを提供すること。【解決手段】  高さ方向に配置される縦フレーム３と奥行方向および幅方向に配置される横フレーム４ａ、４ｂとの連結により組み上げられた胴体部２の上端にカウンター５が配設され、カウンターにシンク６および調理機器７が配設されたフレーム型キッチンキャビネット１に隣接して連結され、キッチンキャビネットの付帯機能設備を備えている。【選択図】図１
2006325807.tif 000002
【特許請求の範囲】
【請求項１】
高さ方向に配置される縦フレームと奥行方向および幅方向に配置される横フレームとの連結により組み上げられた胴体部の上端にカウンターが配設され、カウンターにシンクおよび調理機器が配設されたフレーム型キッチンキャビネットに隣接して連結され、フレーム型キッチンキャビネットの剛性を高めるフレーム型キッチンキャビネットの腰壁ユニットであって、キッチンキャビネットの付帯機能設備を備えていることを特徴とするフレーム型キッチンキャビネットの腰壁ユニット。
【請求項２】
付帯機能設備が給水・給湯配管および排水配管である請求項１記載のフレーム型キッチンキャビネットの腰壁ユニット。
【請求項３】
付帯機能設備が排気装置である請求項１記載のフレーム型キッチンキャビネットの腰壁ユニット。
【発明の詳細な説明】
【技術分野】
【０００１】
本願発明は、胴体部が縦フレームと横フレームの連結により組み上げられて形成されたフレーム型キッチンキャビネットの腰壁ユニットに関する。
【背景技術】
【０００２】
キッチンキャビネットの一つとして、胴体部が、中空なアルミ製等のフレームにより形成されたフレーム型キッチンキャビネットが知られている（たとえば、特許文献１参照）。
【０００３】
フレーム型キッチンキャビネットでは、高さ方向に配置される縦フレームと奥行方向および幅方向に配置される横フレームとが連結されて胴体部が組み上げられ、胴体部の上端にカウンターが配設されている。カウンターには、シンクおよび調理機器が配設される。
【０００４】
このようなフレーム型キッチンキャビネットは、胴体部に側板、中仕切り板および背板を備えたキッチンキャビネットに比べ面が少ないため、剛性を確保しにくいという問題がある。このことから、フレーム型キッチンキャビネットは、一般に、壁に固定し、強度を確保しているが、最近、ダイニング・キッチンの中央部にアイランド状に設置したいという要望が増えてきている。
【０００５】
そこで、自立性があり、壁と同等の機能を有する腰壁を、フレーム型キッチンキャビネットの横に隣接して設置し、フレーム型キッチンキャビネットの剛性を高めるという試みがなされている。
【特許文献１】特開２００４−２２３００６号公報
【発明の開示】
【発明が解決しようとする課題】
【０００６】
しかしながら、これまでに考えられている腰壁は、フレーム型キッチンキャビネットの剛性を高めるためにのみ用いられ、フレーム型キッチンキャビネットの施工現場において組み立てられ、設置されるものとなっており、腰壁自体が何かの機能を有するものとはなっていない。
【０００７】
本願発明は、このような事情に鑑みてなされたものであり、フレーム型キッチンキャビネットの剛性を高めつつ、ユニットとして独立した特徴ある機能を有し、付加価値が高められたフレーム型キッチンキャビネットの腰壁ユニットを提供することを課題としている。
【課題を解決するための手段】
【０００８】
本願発明は、上記の課題を解決するために、第１には、高さ方向に配置される縦フレームと奥行方向および幅方向に配置される横フレームとの連結により組み上げられた胴体部の上端にカウンターが配設され、カウンターにシンクおよび調理機器が配設されたフレーム型キッチンキャビネットに隣接して連結され、フレーム型キッチンキャビネットの剛性を高めるフレーム型キッチンキャビネットの腰壁ユニットであって、キッチンキャビネットの付帯機能設備を備えていることを特徴としている。
【０００９】
本願発明は、第２には、付帯機能設備が給水・給湯配管および排水配管であることを特徴としている。
【００１０】
本願発明は、第３には、付帯機能設備が排気装置であることを特徴としている。
【発明の効果】
【００１１】
本願の第１の発明によれば、腰壁がユニットとして独立し、キッチンキャビネットに付帯する特徴ある機能を有し、付加価値が高まる。
【００１２】
本願の第２の発明によれば、カランに供給する湯水およびシンクからの排水を導くことができる。
【００１３】
本願の第３の発明によれば、調理機器の使用により発生する水蒸気、油煙等を取り込み、浄化して排気することができる。
【発明を実施するための最良の形態】
【００１４】
図１は、本願発明の腰壁ユニットの一実施形態をフレーム型キッチンキャビネットとともに示した斜視図である。
【００１５】
フレーム型キッチンキャビネット１の胴体部２は、中空なアルミ製等のフレームから組み上げられている。フレームは、高さ方向に配置される縦フレーム３と奥行方向および幅方向に配置される横フレーム４ａ、４ｂの３種類ある。縦フレーム３は、２本を一組として前後に一定間隔で配置され、その間に横フレーム４ａが架け渡され、縦フレーム３を連結している。また、縦フレーム３は、横フレーム４ｂによって連結されてもいる。後側の縦フレーム３の下部および前後両側の縦フレーム３の上端部に横フレーム４ｂが架け渡されている。
【００１６】
人造大理石製等のカウンター５は、このような胴体部２の上端に配設されている。カウンター５には、シンク６およびガス台、電磁調理器等の調理機器７が配設されている。
【００１７】
フレーム型キッチンキャビネット１の横には、フレーム型キッチンキャビネット１に隣接して腰壁ユニット８が連結されている。腰壁ユニット８は自立するものであり、この腰壁ユニット８によって、フレーム型キッチンキャビネット１の剛性が確保され、強度が向上し、たとえばダイニング・キッチン等にアイランド状に設置することが可能となる。
【００１８】
腰壁ユニット８は、フレーム型キッチンキャビネット１の剛性を高めるという機能を有するだけでなく、キッチンキャビネットに付帯する機能を実現する設備を備えている。図１に示した腰壁ユニット８は、シンク６に配設されるカラン９へ供給する湯水およびシンク６からの排水を導く配管設備を内蔵している。
【００１９】
すなわち、図２に示したように、腰壁ユニット８は、フレーム型キッチンキャビネット１に隣接する側面に、図１に示した給湯管１０を通す開孔１１、給水管１２を通す開孔１３および排水管１４を通す開孔１５を有している。腰壁ユニット８の内部には、図３に示したように、開孔１１、１３、１５に連通し、給湯管１０、給水管１２および排水管１４と接続可能であるエルボ１６とエルボ１６に一端を接続した直管１７が配設されている。エルボ１６および直管１７は、給湯管１０、給水管１２、排水管１４のそれぞれに対して一組設けられている。エルボ１６は横から下方に曲がり、直管１７は下方に延びている。開孔１１、１３、１５は、フレーム型キッチンキャビネット１の設置現場において、必要とされる箇所のみを開けることのできるノックダウン式とされている。
【００２０】
このように、腰壁ユニット８は、給湯・給水および排水の配管設備を内蔵しており、一つのユニットとして独立した特徴ある機能を有し、付加価値の高い製品となっている。図１に示した給湯管１０、給水管１２および排水管１４を接続する場合は、給湯管１０、給水管１２および排水管１４を腰壁ユニット８に向けて横に曲げ、開孔１１、１３、１５を通し、エルボ１６に接続することができる。湯水および排水は、腰壁ユニット８を通じて導くことができる。
【００２１】
腰壁ユニット８には、また、図２に示したように、フレーム型キッチンキャビネット１に隣接する側面、この面に対向する側面または前面の少なくとも一面に点検口１８を設けることができる。さらに、腰壁ユニット８のフレーム型キッチンキャビネット１に隣接する下端コーナー部等に、合板等の、ネジのねじ込みが可能な板材１９を捨て貼りすることができる。捨て貼りされた板材１９を介してネジによるフレーム型キッチンキャビネット１と腰壁ユニット８の連結が可能となる。
【００２２】
なお、給湯管１０、給水管１２および排水管１４を腰壁ユニット８に接続する場合、給湯管１０、給水管１２、排水管１４がむきだしにならないように、図４に示したように、給湯管１０、給水管１２および排水管１４の周りにカバー２０を装着することができる。カバー２０は、シンク６の下面および腰壁ユニット８のフレーム型キッチンキャビネット１に隣接する側面のそれぞれに固定することができる。
【００２３】
図５は、本願発明のフレーム型キッチンキャビネットの腰壁ユニットの別の実施形態をフレーム型キッチンキャビネットとともに示した斜視図である。
【００２４】
腰壁ユニット８は、図１に示したフレーム型キッチンキャビネット１と同様な構成を有するフレーム型キッチンキャビネット１に備えた調理機器７側の後方において、フレーム型キッチンキャビネット１に隣接して連結されている。腰壁ユニット８は、図１に示した実施形態と同様に、自立するものである。この腰壁ユニット８の連結によって、フレーム型キッチンキャビネット１は剛性が確保され、強度が向上し、たとえばダイニング・キッチン等にアイランド状に設置することが可能となる。
【００２５】
図５に示した腰壁ユニット８は、キッチンキャビネットに付帯する機能設備として排気装置を備えている。上面から上方へ２本のダクト２１が立ち上げられ、各々のダクト２１の先端にフード２２が連結されている。フード２２は、調理機器７の上方に配置されている。図６の断面図に示したように、フード２２はダクト２１に連通しており、下面に外部と連通する吸気口２３を備えている。また、フード２２の内部には、フィルター２４が設けられている。
【００２６】
腰壁ユニット８の内部には、ファン２５が配設されている。図５に示した調理機器７を用いて調理する際に発生する水蒸気、油煙等は、ファン２５の作動により、フード２２の吸気口２３を通じて吸引され、フィルター２４において浄化された後、ダクト２１を通じて腰壁ユニット８の内部に取り込まれ、腰壁ユニット８の内部に連通して設けた排気ダクト２６を経由して排気される。排気ダクト２６の配設は、フレーム型キッチンキャビネット１の設置形態に応じて適宜とすることができる。たとえば、腰壁ユニット８の横幅を内壁近くにまで拡大することができる場合には、排気ダクト２６は同高さでそのまま横引きすることができる。
【００２７】
このように、腰壁ユニット８は、排気装置を備えており、一つのユニットとして独立した、キッチンキャビネットに付帯する特徴ある機能を有し、付加価値の高い製品となっている。
【００２８】
なお、以上の実施形態では、腰壁ユニットは、配管設備、排気装置を備えたものとして例示したが、本願発明において付帯機能設備は特にそれらに限定されない。キッチンキャビネットに付帯する機能を担うことのできる設備を腰壁ユニットは備えることができる。
【図面の簡単な説明】
【００２９】
【図１】本願発明のフレーム型キッチンキャビネットの腰壁ユニットの一実施形態をフレーム型キッチンキャビネットとともに示した斜視図である。
【図２】図１に示した腰壁ユニットのフレーム型キッチンキャビネットに隣接する側面を示した正面図である。
【図３】図１および図２に示した腰壁ユニットの断面図である。
【図４】図１〜図３に示した腰壁ユニットを連結した場合のフレーム型キッチンキャビネットの一形態を示した斜視図である。
【図５】本願発明のフレーム型キッチンキャビネットの腰壁ユニットの別の実施形態をフレーム型キッチンキャビネットとともに示した斜視図である。
【図６】図５に示した腰壁ユニットの断面図である。
【符号の説明】
【００３０】
１    フレーム型キッチンキャビネット
２    胴体部
３    縦フレーム
４ａ、４ｂ    横フレーム
５    カウンター
６    シンク
７    調理機器
８    腰壁ユニット
９    カラン
１０    給湯管
１１    開孔
１２    給水管
１３    開孔
１４    排水管
１５    開孔
１６    エルボ
１７    直管
１８    点検口
１９    板材
２０    カバー
２１    ダクト
２２    フード
２３    吸気口
２４    フィルター
２５    ファン
２６    排気ダクト
【図２】
2006325807.tif 000003
【図３】
2006325807.tif 000004
【図６】
2006325807.tif 000005
【図１】
2006325807.tif 000006
【図４】
2006325807.tif 000007
【図５】
2006325807.tif 000008